(57)【要約】【課題】確実にかつ容易に遮蔽部材を移動調整することのできる引戸装置を提供する。【解決手段】  方立４の前面に出没可能に設けられた遮蔽部材６を移動調整するための調整部材Ａであって、前記遮蔽部材６は方立４の垂直な凹溝５に移動可能にはめ込まれ、前記調整部材Ａは方立側面で前記凹溝５に向かって貫通する取付孔１０に固着される外筒１１と、この外筒に回動できるようにはめ込まれた回動体１２とを備え、外筒内周面１１には内面中腹部にリング状の凸部が設けられ、この凸部の前面に第１噛合歯が設けられ、前記回動体１２には前記第１噛合歯に所定のトルクで噛み合う第２噛合歯と、前面に設けられた回動工具係合溝１２ｂと、後端部に設けられた偏芯カム軸１２ｃとを備え、この偏芯カム軸が遮蔽部材６の側面に設けられたカム軸係合溝９に嵌合されている構成。【選択図】図３
2012188888.tif 000002
【特許請求の範囲】
【請求項１】
左右の壁面の間に形成された開口部を開閉する引戸と、この引戸の閉じ姿勢において引戸の端部裏面に隣接する位置に配置された方立と、方立の前面で略全長にわたって垂直に形成されかつ引戸裏面側に向かって出没可能とした遮蔽部材と、この遮蔽部材を移動調整するための調整部材とからなる引戸装置であって、
前記遮蔽部材は、方立に設けられた垂直方向に延びる凹溝に移動可能にはめ込まれ、
前記調整部材は、方立側面で前記凹溝に向かって貫通する取付孔に固着される合成樹脂製の外筒と、この外筒に回動できるようにはめ込まれた合成樹脂製の回動体とを備え、
前記外筒の内面中腹部にリング状の凸部が設けられ、この凸部の前面に第１噛合歯が設けられ、
前記回動体には前記第１噛合歯に所定のトルクで噛み合う第２噛合歯と、前面に設けられた回動工具係合溝と、後端部に設けられた偏芯カム軸とを備え、この偏芯カム軸が遮蔽部材の側面に設けられた縦長のカム軸係合溝に係合されている引戸装置。
【請求項２】
前記調整部材の前面をカバーするキャップが調整部材に着脱自在に取り付けられている請求項１に記載の引戸装置。
【請求項３】
前記回動体の第２噛合歯と外筒の第１噛合歯との噛み合いは、回動体に設定トルク以上の回動トルクが付与されたときに、回動体並びに外筒の樹脂素材の持つ弾性によって相互の噛み合い部分が滑って回動体の回動ができるように形成されている請求項１又は請求項２に記載の引戸装置。
【発明の詳細な説明】
【技術分野】
【０００１】
本発明は、主として室内で使用される引戸装置に関するものである。特に本発明は、引戸と方立とを備えた片開きの引戸装置に関する。
【背景技術】
【０００２】
従来から、片開き引戸装置では、図１０に示すように、左右の壁面２２、２２の間に形成された開口部２３を開閉する引戸２１が設けられ、この引戸２１の閉じ姿勢において、引戸２１の端部裏面に隣接して方立２４が設けられている。
【０００３】
この方立２４と引戸２１との間には引戸をスムースに開閉するための隙間Ｓが形成されているが、隙間があると引戸２１を閉めたときに室内の密閉性が悪くなる。
そこで従来では、例えば特許文献１〜特許文献３に示すように、方立の引戸に隣接する面に、方立と引戸の隙間を遮蔽する柔軟な遮蔽部材を、引戸側に向かって移動調整可能に設けたものが提案されている。
【先行技術文献】
【特許文献】
【０００４】
【特許文献１】実開昭５８−９０９８９号公報
【特許文献２】特許第３０３３０１７号公報
【特許文献３】特開２００２−１３８７７１号公報
【発明の開示】
【発明が解決しようとする課題】
【０００５】
特許文献１の手段によれば、側面側に露出したビスをゆるめて遮蔽部材を長孔に沿って移動させたあと、再度ビスを締め付けて調整部材の位置を調整するようにしている。しかしこの手段では、調整操作が面倒であるといった欠点がある。
また、特許文献２にも調整ビスによって遮蔽部材を移動調整する技術が開示されているが、調整ビスの操作が遮蔽部材の前面から行うようにしているので、引戸を取り付けたあとでは遮蔽部材の前面が引戸で隠されてしまい、隙間調整することができないといった欠点がある。
また、特許文献３の手段では、方立の側面側から回動させるカムの偏芯軸によって遮蔽部材を移動調整するようにしている。しかし、使用時に引戸によって遮蔽部材に負荷される力が、カムの偏芯軸に作用してカムが容易に回動して遮蔽部材が移動し、引戸と遮蔽部材との間に隙間が発生するといった欠点があった。
【０００６】
そこで本発明は、上記従来課題を解決するとともに、確実にかつ容易に遮蔽部材を移動調整することのできる引戸装置を提供することを主たる目的とする。
【課題を解決するための手段】
【０００７】
上記課題を解決するために本発明では次のような技術的手段を講じた。即ち、本発明の引戸装置は、左右の壁面の間に形成された開口部を開閉する引戸と、この引戸の閉じ姿勢において引戸の端部裏面に隣接する位置に配置された方立と、方立の前面で略全長にわたって垂直に形成されかつ引戸裏面側に向かって出没可能とした遮蔽部材と、この遮蔽部材を移動調整するための調整部材とからなる引戸装置であって、前記遮蔽部材は方立に設けられた垂直方向に延びる凹溝に移動可能にはめ込まれ、前記調整部材は方立側面で前記凹溝に向かって貫通する取付孔に固着される外筒と、この外筒に回動できるようにはめ込まれた回動体とを備え、外筒内周面には凹凸歯を備え、回動体は前記凹凸歯に弾力的に係合する弾性爪と、前面に設けられた回動工具係合溝と、後端部に設けられた偏芯カム軸とを備え、この偏芯カム軸が遮蔽部材の側面に設けられた縦長のカム軸係合溝に嵌合されている構成とした。
【発明の効果】
【０００８】
本発明では上記のように、方立側面からドライバー等の回動工具を用いて回動体を回動を回動することにより遮蔽部材引戸方向に前進又は後退させて移動調整することができるものであるが、特に本発明では、回動体の第２噛合歯と外筒の第１噛合歯との噛み合いによって、その噛み合い力の範囲内で回動体の回動が阻止されるので、引戸使用中に回動体が容易に回動して遮蔽部材が勝手に移動することを効果的にに防止することができるといった優れた効果がある。
【０００９】
（その他の課題を解決するための手段並びに効果）
本発明では、請求項２に記載のように、調整部材の前面をカバーするキャップが調整部材に着脱自在に取り付けられている構成とするのがよい。
これにより、調整部材表面の回動工具係合溝等を隠すことができて、調整部材表面の意匠感を高めることができる。
【００１０】
また本発明では、請求項３に記載のように、回動体の弾性爪を、合成樹脂製の回動体のボディと一体的に形成して、樹脂素材の持つ弾性によって弾性力が付与するように形成するのがよい。
これにより金属バネ等の付加部材を必要とせず一体成形による簡潔な構成で弾性爪を備えた回動体を提供することが可能となる。
【図面の簡単な説明】
【００１１】
【図１】本発明にかかる引戸装置の全体的な構成を示す平面図。
【図２】本発明の引戸装置の要部を示す断面図。
【図３】本発明の引戸装置における調整部材の分解斜視図。
【図４】本発明の引戸装置における調整部材の全体斜視図。
【図５】本発明の引戸装置における調整部材の拡大断面図。
【図６】本発明の引戸装置の要部を示す斜視図。
【図７】本発明の引戸装置における調整部材の動作を示す断面図。
【図８】本発明の引戸装置における遮蔽部材の基材を示す斜視図。
【図９】本発明の引戸装置における遮蔽部材の基材の別例を示す斜視図。
【図１０】従来例を示す平面図。
【発明を実施するための形態】
【００１２】
以下において、本発明の詳細をその実施の形態を示す図面に基づいて詳細に説明する。  図において、符号１は引戸であって、左右の壁面２、２の間に形成された開口部３を開閉する。この引戸１を閉じ姿勢において、引戸１の端部裏面に隣接する位置に方立４が配置されている。
【００１３】
方立４は、垂直に延びた柱材で形成され、その引戸１に面した前面で略全長にわたって垂直な凹溝５が設けられ、この凹溝５に遮蔽部材６が引戸方向に出没自在にはめ込まれている。
遮蔽部材６はアルミ等の金属引抜き材で形成された基材７と、植毛材やゴム材等の弾性のある柔軟な材料で形成された遮蔽部８とからなり、遮蔽部８は基材７の前端に固着されて引戸１との隙間を引戸上下方向の全長にわたって埋めるようにしている。また、基材８には後述する調整部材Ａの偏芯カム軸１２ｃが係合するカム軸係合溝９が垂直方向に沿って形成されている。
【００１４】
前記方立４には、その側面に取付孔１０が前記凹溝５に貫通して設けられ、この取付孔１０に調整部材Ａが取り付けられている。
前記調整部材Ａは合成樹脂材から作られ、取付孔１０に回転できないように嵌合される外筒１１と、この外筒１１に回動可能にはめ込まれた回動体１２とを備えている。
前記外筒１１はその内面中腹部にリング状の凸部１１ａが設けられ、この凸部１１ａの前面（図３における左側）に第１噛合歯１１ｂが設けられている。更に外筒１１の外周面には、方立４の取付孔１０にはめ込まれたときに取付孔１０の内面に食い込んで外筒１１が回動するのを阻止する突条１１ｃが設けられている。
【００１５】
前記回動体１２は大径の鍔部１２ａを有し、その後面（図３の右側）に前記外筒１１の第１噛合歯１１ｂに所定のトルクで噛み合う第２噛合歯１２ｂが設けられている。更に回動体１２の前面にはドライバー等の回動工具が係合する回動工具係合溝１２ｅが設けられている。また、回動体１２の後端部には偏芯カム軸１２ｃが設けられ、この偏芯カム軸１２ｃが遮蔽部材６の基材側面に設けられたカム軸係合溝９に係合されている。
前記回動体１２の第２噛合歯１２ｂと外筒１１の第１噛合歯１１ｂとの噛み合いは、回動工具を用いて回動体１２に設定以上の回動トルクが付与されたときに、回動体１２並びに外筒１１の樹脂素材の持つ弾性変形によって相互の噛み合い部分が滑って回動体１２の回動ができるように、噛合歯の形状や噛み合い深さに配慮がなされている。
【００１６】
また、回動体１２は、その胴部の外周面に小さな突起１２ｄが形成され、この突起１２ｄが外筒１１のリング状凸部１１ａの後縁段部１１ｄに係合しており、これにより回動体１２が外筒１１から前方に抜け出ること阻止している。
【００１７】
また、調節部材Ａの表面をカバーする皿状の蓋体１３が調整部材Ａに着脱自在に取り付けられている。本実施例では、蓋体１３の裏面中央に突設したピン脚１３ａが、回動体１２の回動工具係合溝１２ｅの中心に形成した孔１２ｆに嵌合して取り付けられるようになっている。この蓋体１３をとりつけることにより、調整部材Ａの表面の回動工具係合溝１２ｃ等を隠すことができて調整部材表面の意匠感を高めることができる。
【００１８】
以上の構成において、引戸１をセットするときに、遮蔽部材６の遮蔽部７が引戸１の裏面に当接して方立４と引戸１との隙間を埋めるように調整する。具体的には、ドライバー等の回動工具を用いて設定トルク以上の力で回動体１２を回動して偏芯カム軸１２ｃを回動し、遮蔽部材６を引戸方向に前進又は後退させて調整する。調整したあとは、回動体１２の第２噛合歯１２ｂと外筒１１の第１噛合歯１１ｂとの噛み合いによって、その噛み合い力の範囲内で回動体１１の回動が阻止されるので、引戸使用中に回動体１２が容易に回動して遮蔽部材６が勝手に移動することがない。
また、遮蔽部材６を一度調整したあと、経年使用による引戸素材の歪み等により引戸１と方立４との隙間が拡大したときも、前記同様の操作で遮蔽部材６を移動させて調整することができる。
尚、図７（ａ）は引戸１に対して遮蔽部材６を最大に後退させた状態を示し、図７（ｂ）は最大に進出させた状態を示す。
【００１９】
本発明において、回動工具を用いて回動体１２に設定以上の回動トルクが付与されたときに、回動体１２並びに外筒１１の樹脂素材の持つ弾性変形によって噛合歯１１ｂ、１２ｂの相互の噛み合い部分が滑って回動体１２の回動ができるようにしたので、金属バネ等の付加部材を必要とせず、噛合歯を備えた外筒１１と回動体１２とを、それぞれ合成樹脂による一体成型品で作成でき、これにより簡潔な構成で安価に提供することができる。
【００２０】
また、遮蔽部材６のカム軸係合溝９が基材８の側面に垂直方向に沿って形成されているので、基材８をアルミ等の金属引抜き材でひき抜き加工と同時にカム軸係合溝９を形成することができ、これにより、カム軸係合溝を別加工する必要が無くなって加工手間を省くことができる。
尚、遮蔽部材６の基材８は、図８に示すようにカム軸係合溝９を左右に設けて、調整部材Ａを方立４に対して左右どちらから取り付けても対応できるようにしたが、図９に示すようにカム軸係合溝９を一方側にのみ形成してもよい。
【００２１】
以上、本発明の代表的な実施例について説明したが、本発明は必ずしも上記の実施例の構造のみに特定されるものでなく、その目的を達成し、請求の範囲を逸脱しない範囲内で適宜修正、変更することが可能である。
【産業上の利用可能性】
【００２２】
本発明は、引戸と方立との隙間を埋める遮蔽部材を備えた引戸構造に適用することができる。
【符号の説明】
【００２３】
Ａ  調整部材
１  引戸
２  壁面
３  開口部
４  方立
５  凹溝
６  遮蔽部材
７  遮蔽部
８  基材
９  カム軸係合溝
１０  取付孔
１１  外筒
１１ａ  リング状凸部
１１ｂ  第１噛合歯
１２  回動体
１２ａ  鍔部
１２ｂ  第２噛合歯
１２ｃ  偏芯カム軸
１２ｅ  回動工具係合溝
１３  蓋体
【図１】
2012188888.tif 000003
【図２】
2012188888.tif 000004
【図３】
2012188888.tif 000005
【図４】
2012188888.tif 000006
【図５】
2012188888.tif 000007
【図６】
2012188888.tif 000008
【図７】
2012188888.tif 000009
【図８】
2012188888.tif 000010
【図９】
2012188888.tif 000011
【図１０】
2012188888.tif 000012